(57)【特許請求の範囲】
【請求項１】
一端側の操作部の操作により他端側が軸線方向に変位するよう構成されたシーマ用のノックアウトロッドの軸線方向の寸法を調整するためのノックアウトロッド調整治具であって、
前記ノックアウトロッドの前記他端側を挿入可能な挿入孔を有するリング形状で、鉛直方向に並んで設けられて該ノックアウトロッドを支持する一対のガイド部材と、
前記ノックアウトロッドの前記操作部を定位置に固定する固定手段と、
前記一対のガイド部材の下方に設けられて、前記ノックアウトロッドの下端の軸線方向の変位を測定する測定手段と、
を備えたことを特徴とするノックアウトロッド調整治具。
【請求項２】
前記一対のガイド部材は、前記操作部を引っ掛けて吊り下げる上部ガイド部材と、前記ノックアウトロッドの前記他端側を軸線方向に移動可能に支持する下部ガイド部材と、を有することを特徴とする請求項１に記載のノックアウトロッド調整治具。
【請求項３】
前記一対のガイド部材のそれぞれは、内周側の材質が外周側の材質よりも軟質であることを特徴とする請求項１又は２に記載のノックアウトロッド調整治具。
【請求項４】
前記一対のガイド部材のそれぞれに前記ノックアウトロッドを挿入する際に、該ノックアウトロッドの先端部分に取り付けて保護するキャップをさらに備えたことを特徴とする請求項１〜３のいずれか一項に記載のノックアウトロッド調整治具。
【発明の詳細な説明】
【技術分野】
【０００１】
本発明は、缶胴に缶蓋を巻き締めするシーマのノックアウトロッドの寸法を調整するノックアウトロッド調整治具に関する。
【背景技術】
【０００２】
缶胴に缶蓋を巻き締めするシーマにおいては、シーミングチャックにて缶胴に缶蓋を押し付ける。シーミングチャックのノックアウトロッドがその軸線方向に移動可能で、ロッド下端に設けられたノックアウトパッドを押し出すことにより、ノックアウトパッドがシーミングチャック下端から突出する（例えば、特許文献１参照。）。
【特許文献１】特開平５−１２３７９６号公報
【発明の開示】
【発明が解決しようとする課題】
【０００３】
ノックアウトパッドの突出量は、ノックアウトロッドの寸法により決められる。従来、ノックアウトロッドの軸線方向を横向きにした状態で寸法の調整をしている。このため、調整時にノックアウトロッドの安定性が悪く、調整に時間を要する。
【０００４】
そこで、本発明はノックアウトロッドの安定性を高めることが可能なノックアウトロッド調整治具を提供することを目的とする。
【課題を解決するための手段】
【０００５】
本発明のノックアウトロッド調整治具は、一端側の操作部（１１）の操作により他端側が軸線（ＡＸ）方向に変位するよう構成されたシーマ用のノックアウトロッド（１０）の軸線方向の寸法を調整するためのノックアウトロッド調整治具（１）であって、前記ノックアウトロッドの前記他端側を挿入可能な挿入孔（２ａ）を有するリング形状で、鉛直方向に並んで設けられて該ノックアウトロッドを支持する一対のガイド部材（２、３）と、前記ノックアウトロッドの前記操作部を定位置に固定する固定手段（５）と、前記一対のガイド部材の下方に設けられて、前記ノックアウトロッドの下端の軸線方向の変位を測定する測定手段（４）と、を備えたことにより上記課題を解決する。
【０００６】
本発明のノックアウトロッド調整治具によれば、ノックアウトロッドの軸線方向を鉛直にした状態で、ノックアウトロッドの全長の寸法を調整する。ノックアウトロッドの操作部を固定してシーマ本体への組付け状態と同様の状態にして調整することができるので、ノックアウトロッドの安定性を高めることでできる。従って、容易に寸法調整が可能となり、調整に要する時間を短縮することができる。ガイド部材の下方に測定手段が位置しているので、ノックアウトロッドの位置ずれを防止して測定値の安定化も図ることができる。よって、調整ミス等のリスクが減少し、シーマにおける缶の巻き締めに関する品質管理レベルを向上することができる。
【０００７】
本発明のノックアウトロッド調整治具の一形態において、前記一対のガイド部材は、前記操作部を引っ掛けて吊り下げる上部ガイド部材（２）と、前記ノックアウトロッドの前記他端側を軸線方向に移動可能に支持する下部ガイド部材（３）と、を有していてもよい。この形態によれば、上部ガイド部材によって操作部を安定して支持することができ、下部ガイド部材によってノックアウトロッドの位置ずれを防止するので、安定した測定を可能とする。
【０００８】
本発明のノックアウトロッド調整治具の一形態において、前記一対のガイド部材のそれぞれは、内周側の材質が外周側の材質よりも軟質であってもよい。この形態によれば、ノックアウトロッドの他端側をガイド部材に挿入する際に、ノックアウトロッドの先端部分が傷つくのを防止することができる。
【０００９】
本発明のノックアウトロッド調整治具の一形態において、前記一対のガイド部材のそれぞれに前記ノックアウトロッドを挿入する際に、該ノックアウトロッドの先端部分に取り付けて保護するキャップ（８）をさらに備えてもよい。この形態によれば、ノックアウトロッドの他端側をガイド部材に挿入する際に、先端部分にキャップを被せることにより、ガイド部材との接触による破損を確実に防止することができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明のノックアウトロッド調整治具においては、ノックアウトロッドの軸線方向を鉛直にした状態で、ノックアウトロッドの全長の寸法を調整する。ノックアウトロッドの操作部を固定してシーマ本体への組付け状態と同様の状態にして調整することができるので、ノックアウトロッドの安定性を高めることでできる。従って、容易に寸法調整が可能となり、調整に要する時間を短縮することができる。ガイド部材の下方に測定手段が位置しているので、ノックアウトロッドの位置ずれを防止して測定値の安定化も図ることができる。よって、調整ミス等のリスクが減少し、シーマにおける缶の巻き締めに関する品質管理レベルを向上することができる。
【発明を実施するための最良の形態】
【００１２】
図１は本発明の一形態に係るノックアウトロッド調整治具及び調整対象となるノックアウトロッドを示す概略図である。ノックアウトロッド調整治具１は、ノックアウトロッド１０の軸線ＡＸが鉛直方向を向くようにしてノックアウトロッド１０を保持しながら、ノックアウトロッド１０の軸線ＡＸ方向の全長を測定しつつ、その寸法を調整する治具である。ノックアウトロッド１０は、缶胴に缶蓋を巻き締めするシーマにおいて缶蓋を缶胴に押さえ付けるシーミングチャック内部に設けられ、ノックアウトロッド１０が下降することによりシーミングチャックの下端からノックアウトパッドを突出させる。ノックアウトパッドの突出量を調整するために、ノックアウトロッド１０の全長の寸法が調整される。ノックアウトロッド１０には、一端側に軸線ＡＸ方向の寸法を調整するための操作部１１と、他端側にノックアウトパッドを押し出すロッド部１２とが設けられている。操作部１１には、ロッド部１２の寸法を調整する調整ねじ１３が設けられている。調整ねじ１３を調節することにより、ロッド部１２が軸線ＡＸ方向に伸縮する。
【００１３】
ノックアウトロッド調整治具１は、ノックアウトロッド１０の操作部１１を支持して固定する上部ガイド２と、ロッド部１２を軸線方向に移動可能に支持する下部ガイド３と、ロッド部１２の下端１２ａと接触して寸法を測定するダイヤルゲージ４と、ノックアウトロッド１０の上端を固定する固定ねじ５と、上部ガイド２及び下部ガイド３及びダイヤルゲージ４及び固定ねじ５を支持する支柱６と、支柱６を支えるスタンド７とを備えている。上部ガイド２及び下部ガイド３は、鉛直方向に並んで支柱６に固定されている。図２は上部ガイド２の構造を示す概略図である。上部ガイド２は、リング形状で、ノックアウトロッド１０が挿入される挿入孔２ａと、材質の異なる内側部材２ｂ及び外側部材２ｃとを有する。上部ガイド２の挿入孔２ａは、ノックアウトロッド１０の操作部１１が通らない大きさで形成され、上部ガイド２は、その上面で操作部１１の下面を引っ掛けて吊り下げる。外側部材２ｃは、ステンレス等の硬質の素材で形成されている。一方、ノックアウトロッド１０の設置の際に挿入孔２ａにロッド部１２が接触して傷つくのを防止するため、内側部材２ｂは、例えば、真鍮や樹脂といった軟質の素材で形成される。下部ガイド３は、挿入孔２ａの大きさについてロッド部１２が軸線ＡＸの方向に移動可能な程度の大きさとなる点を除いて、上部ガイド２と同様に構成されているので説明を省略する。
【００１４】
ダイヤルゲージ４は、下部ガイド３の下方で支柱６に固定されている。ダイヤルゲージ４は、ロッド部１２の下端１２ａと接触して、操作部１１に設けられた調整ねじ１３を調節することによるノックアウトロッド１０の寸法の変位を測定する。ダイヤルゲージ４として各種市販のダイヤルゲージを用いてもよい。固定ねじ５は、上部ガイド２の上方に設けられている。固定ねじ５は、支柱６に固定される支持部材５ａにねじ込まれている。固定ねじ５は、ノックアウトロッド１０の上端と接触して操作部１１の下面を上部ガイド２に押し付けつつ固定する。固定ねじ５及び上部ガイド２により、ノックアウトロッド１０はノックアウトロッド調整治具１に固定される。
【００１５】
次に、ノックアウトロッド調整治具１によるノックアウトロッド１０の調整手順を説明する。まず、ノックアウトロッド１０のロッド部１２を上部ガイド２及び下部ガイド３の挿入孔２ａに通して、ノックアウトロッド１０をノックアウトロッド調整治具１に設置する。このとき、ロッド部１２の先端部分を保護するため、図３に示すキャップ８を下端１２ａに取り付けて挿入孔２ａに挿入する。キャップ８は、樹脂やゴム等で形成される。固定ねじ５を調節してノックアウトロッド１０を固定する。そして、調整ねじ１３を調節してノックアウトロッド１０の全長を調整する。調整ねじ１３によりロッド部１２の長さを調節することにより、ロッド部１２の下端１２ａの変位をダイヤルゲージ４で測定する。このようにして、ノックアウトロッド１０の全長が設定される。
【００１６】
ノックアウトロッド１０の軸線ＡＸを鉛直にして寸法を調整するので、ノックアウトロッド１０をシーマ本体への組付け状態と同様の状態にして調整することができる。従って、ノックアウトロッド調整治具１にノックアウトロッド１０を安定して設置することができ、容易に寸法調整が可能となり、調整に要する時間を短縮することができる。ロッド部１２の下端１２ａの下方にダイヤルゲージ４が位置しているので、ロッド部１２の位置ずれを防止して測定値の安定化を図ることができる。よって、調整ミス等のリスクが減少し、シーマにおける缶の巻き締めに関する品質管理レベルを向上することができる。
【００１７】
本発明は、上述した形態に限定されることなく、種々の形態にて実施することができる。例えば、本形態では、測定手段としてダイヤルゲージ４で説明したが、これに限定されず、光学式等の各種変位センサを利用してもよい。ノックアウトロッド１０の上端を固定する手段として固定ねじ５で説明したが、例えば、クランプで両側から挟んで固定する等、適宜の固定方法を用いてもよい。上部ガイド２及び固定ねじ５でノックアウトロッド１０を固定する例に限られず、上部ガイド２及び固定ねじ５に代えてクランプで両側から挟んで固定してもよい。
【図面の簡単な説明】
【００１８】
【図１】本発明の一形態に係るノックアウトロッド調整治具及び調整対象となるノックアウトロッドを示す概略図。
【図２】上部ガイドの構造を示す概略図。
【図３】キャップを示す斜視図。
【符号の説明】
【００１９】
１  ノックアウトロッド調整治具
２  上部ガイド（一対のガイド部材）
３  下部ガイド（一対のガイド部材）
４  ダイヤルゲージ（測定手段）
５  固定ねじ（固定手段）
１０  ノックアウトロッド
１１  操作部
ＡＸ  軸線
【図１】
0005095385.tif 000002
【図２】
0005095385.tif 000003
【図３】
0005095385.tif 000004